(57)【特許請求の範囲】
【請求項１】
支柱部（１）と、処理頭部（１２）で終るジブ部（８）とを有する装置で、
前記支柱部（１）に支持されたハウジング（７）と、
熱気を発生する少なくとも一つの装置（９）と、
蒸気を発生する少なくとも一つの装置（１１）と、
前記熱気を発生する少なくとも一つの装置（９）と前記蒸気を発生する少なくとも一つの装置（１１）は前記ハウジング（７）内に置かれており、
前記処理頭部（１２）はハウジング（７）内に置かれた装置（９、１１）に連通する分配ヘッド（１５）を有しており、
その分配ヘッド（１５）は二つの端部位置間を回転できるように支持されており、一側（１６）において装置（９、１１）から供給される少なくとも一つの媒体の為の出口孔（１７）を有する放散部を有し、更に前記一側（１６）に対向する他の側において分配ホース（２０）に連結され前記装置（９、１１）に連通する多数の短管（１９）を有しており、
前記分配ホース（２０）はヘアーカーラに連結できるようになっており、
前記分配ヘッド（１５）の端部位置の一方において前記出口孔（１７）が、また分配ヘッド（１５）の他端部位置において前記短管（１９）がハウジング（７）内に設けられた装置（９、１１）に連通している、ことよりなる人体の頭部の毛髪処理用多機能装置。
【請求項２】
前記ジブ部（８）は前記分配ヘッド（１５）が端部位置の一方にある時、使用されていない分配ホースを受け入れるように設けられた受け入れ容器として構成され、且受け入れ容器の長手方向に延びる貫通型受け入れ収納部（２１）を有し、その受け入れ収納部（２１）はハウジング（７）に回転可能に取付けられ、蓋部（２２）が前記受け入れ収納部（２１）に回転可能に取付けられ、且開放位置と閉封位置の間を回転可能であり、前記蓋部（２２）はその自由端においてフード部（２３）を有し、該フード部は前記蓋部（２２）が閉封位置にある時、前記分配ヘッド（１５）を掩う、請求項１の装置。
【請求項３】
熱気を発生する前記装置（９）が前記ジブ部（８）を通って延びる熱気管（２４）によって前記分配ヘッド（１５）に連通している請求項２の装置。
【請求項４】
前記分配ヘッド（１５）が前記熱気管（２４）に回転できるように取付けられ、その熱気管（２４）は分配ヘッド（１５）の領域内に位置する下部出口開口（２５）を有し、該下部出口開口（２５）は前記分配ヘッド（１５）の一端において出口孔（１７）と連通し、分配ヘッド（１５）他端において前記短管（１９）に連通している請求項３の装置。
【請求項５】
水蒸気を発生する前記装置（１１）は蒸気管（２６）に連結され、該蒸気管は前記一側部（１６）と他側部（１８）との間で分配ヘッド（１５）の内側に位置する熱気管（２４）の領域内で熱気管（２４）内に斜に突出し、それにより熱気が駆動媒体となる放射機が形成される請求項４の装置。
【請求項６】
熱気を発生する前記装置（９）が熱気管（２４）を通って熱気を供給する装置（１０）を有する請求項５の装置。
【請求項７】
蒸気を発生する前記装置（１１）はタンク（１３）内に設けられた超音波噴霧器（１４）を有する水タンク（１３）を有する請求項６の装置。
【請求項８】
追加の熱気ホース（２７）がハウジング（７）の領域において熱気を発生する前記装置（９）に連結され、
その追加熱気ホース（２７）は通気されたヘアーブラシに類するヘアーカーラに連結された請求項７の装置。
【請求項９】
前記分配ヘッド（１５）が環状支持部（２８）によって囲まれ、該環状支持部（２８）は赤外線放出器（２９）及び少なくとも一個の読書ランプ（３６）を有し、該赤外線放出器（２９）及び読書ランプ（３０）は前記出口孔が下向を向いている前記端部において髪を処理されている人の頭部の方へ下方へ面している請求項８の装置。
【請求項１０】
前記支柱部（１）に取付けられ、更なる赤外線放出器（３２）を有する二個の横方向支持腕（３１）を有し、該支持腕（３１）は人の頭部の両側における作業位置に置かれ、それにより、赤外線放出器（３２）が頭部に対し横方向に向くようにした請求項９の装置。
【請求項１１】
前記支持腕（３１）が作業位置と側方の位置の間とを回転できるように支柱部（１）に取付けられている請求項１０の装置。
【請求項１２】
前記支柱部（１）が伸縮可能で、その長さを調節でき、それにより処理頭部（１２）の高さ位置を変えることができるようにした請求項１１の装置。
【請求項１３】
消毒毛髪処理装置（３４）を有し、該装置が前記支柱部（１）に取付けられている請求項１２の装置。
【請求項１４】
支柱部（１）が移動底部枠（２）に載置されている請求項１２の装置。
【発明の詳細な説明】
【０００１】
【発明の属する技術分野】
本願は２０００年５月３日出願スイス特許出願番号８７０／００の優先権を要求するものであり、その開示はその全てにおいて此処に参照することにより具体化されている。
本発明は人体頭部の毛髪処理用多機能装置に関し、その装置は、支柱部と処理頭部で終るジブ部とを有する。
【０００２】
【従来の技術】
人体毛髪の処理を行う為に、美容師はパーマをかけること、カラーリング、ドライ等の各種の装置を必要とし、また、そのような多数の装置は美容室の大きなスペースを占有する。近年の発達により美容室は小さくなっているが、それは各種の装置を配置し格納するのに小床面積で済むようになったことを示している。
【０００３】
【発明が解決しようとする課題】
更に最近は、美容師は単一の装置のみを用いて、各種の特別の毛髪処理を行うことができるようになっているが、その装置は構造的に完成されたもので、その処理の間、他の全ての装置は室内中に無意味に放置されている。
【０００４】
従って、本発明の一般的な目的は、異なる処理の為の多数の部分装置が単一にまた同一装置にまとめられた、人体毛髪処理用多機能装置を提供するにある。
【０００５】
【課題を解決するための手段】
本発明による装置は、支柱部と処理頭部で終るジブ部とを有する装置で、前記支柱部に支持されたハウジングと、熱気を発生する少なくとも一つの装置と、蒸気を発生する少なくとも一つの装置と、前記熱気を発生する少なくとも一つの装置と前記蒸気を発生する少なくとも一つの装置は前記ハウジング内に置かれており、前記処理頭部はハウジング内に置かれた装置に連通する分配ヘッドを有しており、その分配ヘッドは二つの端部位置間を回転できるように支持されており、一側において装置から供給される少なくとも一つの媒体の為の出口孔を有する放散部を有し、更に前記一側に対向する他の側において分配ホースに連結され前記装置に連通する多数の短管を有しており、前記分配ホースはヘアーカーラに連結できるようになっており、前記分配ヘッドの端部位置の一方において前記出口孔が、また分配ヘッドの他端部位置において前記短管がハウジング内に設けられた装置に連通していることを特徴とする。
【０００６】
以下の詳細な説明を考察することにより、本発明はより良く理解され、また上記以外の目的が明かになるであろう。その説明は添付の図面を参照して行われる。
【発明の実施の形態】
【０００７】
本多機能装置は支柱部を有する。該支柱部１はローラを有する下枠２上に載せられ、枠２は支持腕３及び二個のローラ４、５を有し、それにより、その装置が例えば美容室の床６上に置かれる。総計で、二個の枠と四個のローラが設けられている。二個の支持腕３の間の水平間隔は、髪を処理している人の椅子がその間に置かれるに充分な寸法にしてある。
【０００８】
図２と図３を比較すれば分るように、支柱部１の長さは調節でき、それにより支柱部１に支えられた構造の高さ位置を変えることができる。
【０００９】
ハウジング７が支柱部１に取付けられている。ジブ部８がハウジング７に回動できるように取付けられ、ジブ部の端部には処理頭部１２が設けられている。
【００１０】
熱気を生ずる装置９がハウジング７内に設けられている。そのような装置類は一般に知られており、従って、この装置９の詳細な説明は必要ではない。熱気の供給はタービンホイール１０によって行われる。熱気の表現について、髪処理空気の温度は、髪の乾燥又は処理の為に充分高い又は低い通常のものであり、従って、暖気と言う表現も又適用できる。
【００１１】
水蒸気発生装置１１もハウジング７内に設けられている。この水蒸気発生装置１１は水タンク１３を有し、その上に公知の超音波噴霧器１４が載置されている。超音波噴霧器は膜を有し、之が高速で振動し、高速振動によって、水の蒸発が達成される。
【００１２】
ハウジング７に回動可能に取付けられたジブ部８の自由端に位置する処理頭部１２は上記二個の装置９、１１に連通する分配ヘッド１５を有する。
この分配ヘッド１５は以下に述べる二つの端部位置間を回動できるように支持されている。
分配ヘッド１５は一側１６において、少なくとも装置９、１１の一方からの髪処理媒体の為の排出孔１７を有する放散部を有する。
【００１３】
上記の側部１６に対向する他側１８において、処理頭部は多数の短管１９を有し、それ等は図１−４では短い線で簡単に示されている。之等の短管１９は、少なくとも一方の装置９、１１から供給される媒体の為の分配ホース２０に取付けられている。之等の分配ホース２０は、例えば空気を供給されるヘアーカーラに連結される為に設けられている。そのヘアーカーラは知られているので詳細には説明されない。
【００１４】
ジブ部８は二構成分構造である。それは、特に分配ホース２０を使用しない時は、之を受け入れ収納するように構成されている。
その為、ジブ部８は、下部の貫通形受け入れ収納部２１（図８参照）を有し、その容器はハウジング７に回転可能に取付けられている。蓋部２２がその端部においてフード部２３を支持している。蓋部２２は図示のように開き位置と閉じ位置の間で回転でき、フード部２３が閉じ位置において分配ヘッド１５を掩うようになっている。
【００１５】
熱又は暖気管２４が装置から伸びて熱気を生ずるようになっており、管２４はジブの内部に位置し、処理頭部１２で終り、分配ヘッド１５に連通している。
この分配ヘッド１５は熱気管２４に回転可能に支持されている。熱気管２４は分配ヘッド１５の領域において下部出口開口２５を有する。
【００１６】
熱気管２４の端部は閉じられ、分配ヘッド１５の端部領域は熱気管２４に対し密封されている。
熱気管２４に回転可能に支持された分配ヘッド１５が、図１、２及び４に示した端部に置かれると、短管１９及び対応する分配ホース２０が装置９に連通して熱気が発生し、分配ホース２０と取付けられたヘアーカーラ及びヘアーカーラに巻かれた髪に通気される。出口孔１７を有する分配ヘッド１５の端部１６への連通はそれにより遮断される。
【００１７】
分配ヘッド１５が図３の位置に回されると、出口孔１７は装置９に連通し、熱気が発生し、熱気による頭全体の通気が行われるが、ここで熱気温度は制御可能であることに注意すべきである。
分配ヘッド１５がこの位置にあれば、分配ホース２０は収納できる。
【００１８】
図８はジブ部８の一部を幾分簡単化された方法で示す。ジブ部８は下側の貫通形受け入れ収納部２１を有し、該収納部はハウジング７に回転できるように止められている。分配ヘッド１５が回転可能に取付けられた熱気管２４は受け入れ収納部２１内を延びている。蓋２２は頭部２３に取付けられ、またジブの一部を形成しており、収納部２１に回転可能に取付けられている。
【００１９】
分配ヘッド１５が図１に示す位置にあるとする。その位置では、ヘアーカーラに連結された分配ホースを有する下向の短管１９が作動状態にある。
次に、短管１９の作動が終り、分配ヘッド１５の端部１６へ移動すると、出口孔１７が作動に入る。
この為、支柱部１は垂直方向に延び、図３及び４と比較される図２の位置になる。
【００２０】
フード２３を有する蓋部２２は上方に回動される。この位置は図２で破線で示されている。次に、支柱部１が再び垂直方向に短くなった後、分配ヘッド１５は図３による位置において熱気管２４の周りを回転する。
【００２１】
図７は短管１９を有する分配ヘッド１５の側部１８を示し、短管１９は二つのグループに配列されている。
分配ホース２０は折り畳まれ、収納部２１内に横にされる。之等の分配ホース２０は図７に示すように互いに分かれた二つのグループに配列されているので、図８に示すように、熱気管２４の両側で貫通形受け入れ収納部２１内に置くことができる。
【００２２】
さて、注意は再度図１に向けられる。熱気を発生する装置９と水蒸気を発生する装置１１がハウジング７内に置かれている。熱気はタービンホイール１０によって熱気管２４内へ送られる。
水蒸気発生装置１１は、振動膜を有する超音波噴霧器１４によりなる。そのような装置は当技術分野で普通であり一般的に知られている。
【００２３】
蒸気管２６が蒸気発生装置１１から処理頭部１２へ延びている。図１に特に示すように、この蒸気管２６は分配ヘッド１５の領域内で熱気管２４内へ斜めに突出している。従って、タービンホイール１０によって送られた熱気が水蒸気に対する駆動媒体として作動する放射機が形成されている。これは、水蒸気が熱気に乗せられ、従って熱気によって分配ヘッド１５内へ送られることを意味する。
【００２４】
水蒸気発生装置１１は水タンク１３を有し、その中に超音波噴霧器１４が置かれている。各種の髪処理追加物が水タンク１３内に追加されてもよい。例えば、パーマネントウェーブ剤の臭いを中和する生成物を水タンク１３内の水に加えることができる。
【００２５】
かくて、この生成物は水タンク１３内の水中にある。作用において、この生成物を含む水は蒸発し、蒸気が空気によって放射機に乗せられて行くので、冷蒸気として処理ヘッド１２に流入する。分配ヘッド１５は、出口孔１７が側部１６において髪を処理している人の頭に面している場所に位置している。従って、エアシャワーが発生し、パーマネントウェーブ剤で既に処理された髪に、上記の生成物が流れ、パーマネントウェーブ剤の臭いの中和が行われる。
【００２６】
熱気発生装置９は、図５に示す追加の熱気ホース２７を有する。従来の形の通気されたヘアブラシがこの追加熱気ホース２７に取付けられてもよく、また別に用いられてもよい。
【００２７】
更に、分配ヘッド１５はそれにしっかりと取付けられた環状支持部２８で囲まれている。
【００２８】
熱源として作用する赤外線放出器２９が支持部２８内に配置されている。更に、読書ランプ３０が設けられている。この支持部２８は図６に別に示されている。赤外線放出器２９と読書ランプ３０は、出口孔１７が設けられている分配ヘッド１５の側に位置していることに注意すべきである。
【００２９】
二個の横方向突出支持腕３１がハウジング７又は支柱部１に蝶番で付けられている。之等の支持腕３１は更に赤外線放出器３２を支持し、その赤外線放出器は処理されている人の頭部又は頭頂に対し横方向になるような位置に配置されている。更に、この赤外線放出器３２が用いられない時は、枢軸点３３を中心として上方に回し外れた位置に置いてもよい。
【００３０】
支柱部１の底部において、更に、ブラシ、ヘアーカーラ等の髪処理装置の消毒装置３４が設けられている。
【００３１】
本発明の好ましい実施例が此処に示され説明されたが、本発明はそれに限られるものではなく、請求の範囲内で種々に実施され実用化されることを理解すべきである。
【００３２】
【発明の効果】
本発明によって得られる効果は、従来の装置によって占有されていた美容室内のスペースが本発明の装置によって非常に小さくでき、また一つの特定の処理の間、他の処理の為の使わない装置はそばに置いておく必要がない。
【図面の簡単な説明】
【図１】処理ヘッド部を有するジブ部の一部を断面とし、該ジブ部がハウジングに枢着されている図である。
【図２】第一形態における本発明による装置の図である。
【図３】第二形態における図２の装置を示す。
【図４】ジブ部が上方に回転した状態における図２の装置を示す。
【図５】本発明の装置が作業位置にある正面図である。
【図６】赤外線放出器と読書ランプを有する環状支持部の下方より見た図である。
【図７】ホースとの連結を有する分配ヘッドの側面図である。
【図８】開放状態における二部構成のジブ部の図である。
【符号の説明】
１  支柱部
２  下枠
３  支持腕
４  ローラ
５  ローラ
６  床
７  ハウジング
８  ジブ部
９  装置
１０  タービンホイール
１１  水蒸気発生装置
１２  処理頭部
１３  水タンク
１４  超音波噴霧器
１５  分配ヘッド
１６  一側
１７  排出孔
１８  他側
１９  短管
２０  分配ホース
２１  貫通形受け入れ収納部
２２  蓋部
２３  フード部
２４  熱気管
２５  下部出口開口
２６  蒸気管
２７  熱気ホース
２８  環状支持部
２９  赤外線放出器
３０  読書ランプ
３１  横方向支持腕
３２  赤外線放出器
３３  枢軸点
３４  消毒毛髪処理装置
【図１】
0004526730.tif 000002
【図２】
0004526730.tif 000003
【図３】
0004526730.tif 000004
【図４】
0004526730.tif 000005
【図５】
0004526730.tif 000006
【図６】
0004526730.tif 000007
【図７】
0004526730.tif 000008
【図８】
0004526730.tif 000009